(57)【要約】【課題】本発明は、電極パターンの抵抗値が増大することを抑え、かつ外部から見たときに電極パターンと基材との境界を視認し難くした電極パターン付き基板及びタッチパネルを提供することを目的としている。【解決手段】透光性を有する基材３０と、前記基材３０の一方の面に、透明導電膜より成る電極パターン１３を有し、前記電極パターン１３には、前記電極パターン１３の外縁に沿うように開口部１９が形成されており、前記電極パターン１３は、前記外縁及び前記開口部１９よりも内方に、前記開口部１９の全面積よりも大きな面積を有する内基部５０を備える。【選択図】図２
2012032955.tif 000002
【特許請求の範囲】
【請求項１】
透光性を有する基材と、
前記基材の一方の面に、透明導電膜より成る電極パターンを有し、
前記電極パターンには、前記電極パターンの外縁に沿うように開口部が形成されており、
前記電極パターンは、前記外縁及び前記開口部よりも内方に、前記開口部の全面積よりも大きな面積を有する内基部を備えることを特徴とする、電極パターン付き基板。
【請求項２】
前記電極パターンが、短冊状に形成されており、
前記開口部は、前記電極パターンの両長辺のそれぞれに臨んで形成されていることを特徴とする、請求項１に記載の電極パターン付き基板。
【請求項３】
前記電極パターンは複数近接配置されており、
前記電極パターンの互いに近接する領域にそれぞれ前記開口部が形成されていることを特徴とする、請求項１または請求項２に記載の電極パターン付き基板。
【請求項４】
前記電極パターンの少なくとも外縁の一部に臨んで、複数の前記開口部が並設されており、
前記開口部と、前記開口部に挟持された前記透明導電膜とが並んで形成されており、
互に隣接する前記開口部と前記透明導電膜との合計面積に対する前記開口部の面積の比率が、前記外縁に向かい大きくなるように形成されていることを特徴とする、請求項１から３のいずれか一項に記載の電極パターン付き基板。
【請求項５】
少なくとも２つの、隣り合う前記開口部で挟まれた前記透明導電膜および前記開口部と前記電極パターンの外縁とで挟まれた前記透明導電膜が、
前記電極パターンの外縁に向かい前記透明導電膜の面積が小さくなるように形成されていることを特徴とする、請求項４に記載の電極パターン付き基板。
【請求項６】
隣り合う少なくとも２つの前記開口部は、前記電極パターンの外縁に向かい、前記開口部の面積が大きくなるように形成されていることを特徴とする、請求項４または請求項５に記載の電極パターン付き基板。
【請求項７】
前記開口部が、矩形状に形成された請求項１から請求項６のいずれか１項に記載の電極パターン付き基板。
【請求項８】
前記開口部が、円形または楕円形で形成された請求項１から請求項６のいずれか１項に記載の電極パターン付き基板。
【請求項９】
透光性を有する基材と、
前記基材の一方の面に、透明導電膜より成る複数の電極パターンが近接配置されており、
前記複数の電極パターンの互に対向するそれぞれの領域に、近接する前記電極パターンに向かうに従って幅が小さくなる先細部がそれぞれ連設されており、
前記電極パターンの外縁に沿って、近接配置された前記電極パターンの間隔が変化するように形成されたことを特徴とする、電極パターン付き基板。
【請求項１０】
請求項１から請求項９のいずれか１項に記載の電極パターン付き基板を有し構成された、静電容量式タッチパネル
【請求項１１】
請求項１から請求項９のいずれか１項に記載の電極パターン付き基板を有し構成された、抵抗膜式タッチパネル。
【発明の詳細な説明】
【技術分野】
【０００１】
本発明は、電極パターン付基板およびタッチパネルに関し、特に電極パターンの抵抗値が増大することを抑え、かつ電極パターンと基材との境界を外部から視認し難くした電極パターン付基板およびタッチパネルに関する。
【背景技術】
【０００２】
タッチパネルは、携帯用情報機器や、デジタルカメラやビデオカメラなどの映像機器の入力装置として、液晶ディスプレイなどの表示画面上に搭載されている。そのため、タッチパネルの性能の一つとして光の透過率が高く表示画像の視認性が良いことが要求される。
【０００３】
タッチパネルの動作方式及び構成は様々なものが挙げられるが、例えば静電容量式タッチパネルは、フィルム、ガラスなどの透明基材と、基材上の一方の面に形成された上部電極パターンと、他方の面に形成された下部電極パターンを有し構成されている。タッチパネルに用いられている透明基材と電極とは光の透過率、反射率が異なるため、透明基材と電極との境界でコントラストの差が大きくなり、外部から見たときに電極と基材との境界が視認され易くなるという問題がある。
【０００４】
特許文献１および特許文献２では、上記問題を解決するために電極パターンの全面にスリット状の開口部を形成することにより、電極パターン領域の光の透過率を高めている。
【０００５】
また、特許文献３では、電極パターンどうしを隔てる隙間の形状をノコギリ状にし、電極パターン間の隙間の形状を直線状にしないことにより、電極間の隙間を視認し難くしている。
【先行技術文献】
【特許文献】
【０００６】
【特許文献１】特開２００９−２９４８１５号公報
【特許文献２】特開２０１０−６１３８４号公報
【特許文献３】特開２０１０−２６６４１号公報
【発明の概要】
【発明が解決しようとする課題】
【０００７】
従来技術の電極パターン付き基板１４０を図１５に示す。電極パターン付き基板１４０は、基材１３０上に短冊状の電極パターン１１３が複数配列されており、電極パターン１１３には全面にスリット１１９が設けられている。これにより電極パターン１１３が形成された領域の光透過率が向上し、外部から見たときに電極パターン１１３を視認し難くすることが可能となる。しかし、一般にＩＴＯ等の透明導電膜のシート抵抗値は金属材料に比べ非常に大きいため、スリット１１９を形成すると電極の抵抗値がさらに増大し、センサ感度が低下する可能性がある。また、スリット１１９を形成した場合に、抵抗値増大を抑えるためには、スリット１１９を形成した面積に応じて電極パターン１１３の膜厚を厚くする必要があり、電極パターン１１３と基材１３０の境界におけるコントラスト差がより大きくなり、電極パターン１１３と基材１３０との境界が視認し易くなる。
【０００８】
また、特許文献３では、図１６及び図１７に示すように電極パターン１１３どうしを隔てる隙間の形状をノコギリ状にしているが、電極パターン１１３の外縁に沿って電極間の距離が一定に形成されているため、電極端部に沿って筋状にコントラストの差が認識されてしまう可能性がある。
【０００９】
本発明は、上述した課題を解決して、電極パターンの抵抗値が増大することを抑え、かつ外部から見たときに電極パターンと基材との境界を視認し難くした電極パターン付き基板及びタッチパネルを提供することを目的としている。
【課題を解決するための手段】
【００１０】
本発明の電極パターン付き基板は、透光性を有する基材と、前記基材の一方の面に、透明導電膜より成る電極パターンを有し、前記電極パターンには、前記電極パターンの外縁に沿うように開口部が形成されており、前記電極パターンは、前記外縁及び前記開口部よりも内方に、前記開口部の全面積よりも大きな面積を有する内基部を備えることを特徴とする。
【００１１】
このような構成の電極パターン付基板では、電極パターンの外縁に沿って開口部を形成することにより、電極パターンと基材との境界における見かけの光透過率及び反射率のコントラスト差を小さくすることができる。これにより、本発明の電極パターン付き基板を外部から見たときに、電極パターンと基材との境界を視認し難くすることが可能となる。
【００１２】
また、このような構成の電極パターン付基板では、開口部の全面積よりも大きな面積を有する内基部を備えることにより、電極パターンの抵抗値の増大を抑えることが可能となる。
【００１３】
本発明では、前記電極パターンが短冊状に形成されており、前記開口部は、前記電極パターンの両長辺のそれぞれに臨んで形成された構成とすることができる。短冊状の電極パターンにおいては、電極パターンの両長辺と基材との境界が特に外部から視認され易くなるが、本構成とすることにより、電極パターンの両長辺と基材との境界を視認し難くすることができる。
【００１４】
また本発明では、前記電極パターンは複数近接配置されており、前記電極パターンの互いに近接する領域にそれぞれ前記開口部が形成された構成とすることが可能である。複数の電極パターンが近接配置された場合、電極パターン間に挟まれた基材部分が細い筋状に視認され易くなるが、本構成とすることにより、電極パターンと基材との境界のコントラスト差が小さくなるため、電極パターン間に挟まれた基材部分と電極パターンとの境界を視認し難くすることができる。
【００１５】
本発明は、前記電極パターンの少なくとも外縁の一部に臨んで、複数の前記開口部が並設されており、前記開口部と、前記開口部に挟持された前記透明導電膜とが並んで形成されており、互に隣接する前記開口部と前記透明導電膜との合計面積に対する前記開口部の面積の比率が、前記外縁に向かい大きくなるように形成された構成とすることができる。このようにすれば、前記電極パターンと前記基材との境界においてより確実にコントラスト差を小さくすることができ、外部から見たときに電極パターンと基材との境界をさらに視認し難くすることが可能である。
【００１６】
本発明では、少なくとも２つの、隣り合う前記開口部で挟まれた前記透明導電膜および前記開口部と前記電極パターンの外縁とで挟まれた前記透明導電膜が、前記電極パターンの外縁に向かい前記透明導電膜の面積が小さくなるように形成することができる。このようにすれば、電極パターンの見かけの光透過率及び反射率が、電極パターンの内方から外縁に向かい緩やかに変化するため、外部から見たときに電極パターンと基材との境界をより確実に視認し難くすることが可能である。
【００１７】
また本発明では、隣り合う少なくとも２つの前記開口部は、前記電極パターンの外縁に向かい、前記開口部の面積が大きくなるように形成することができる。このような構成においても電極パターンの光透過率及び反射率が緩やかに変化するため、外部から見たときに電極パターンと基材との境界をより確実に視認し難くすることが可能である。また、電極パターンの開口部面積を大きくすることにより、電極パターンの光透過率が大きくなるため、本発明の電極パターン付き基板を通して、外部の液晶ディスプレイ等の表示画像を見たときの視認性が向上する。
【００１８】
本発明は、前記開口部が矩形状に形成されていることが好ましい。
【００１９】
本発明は、前記開口部が円形または楕円形で形成されていることも可能である。
【００２０】
また、本発明における電極パターン付き基板は、透光性を有する基材と、前記基材の一方の面に、透明導電膜より成る複数の電極パターンが近接配置されており、前記複数の電極パターンの互に対向するそれぞれの領域に、近接する前記電極パターンに向かうに従って幅が小さくなる先細部がそれぞれ連設されており、前記電極パターンの外縁に沿って、近接配置された前記電極パターンの間隔が変化するように形成されたことを特徴とする。
【００２１】
本構成とすることにより、近接する複数の電極パターンにおいて、互い対向するそれぞれの領域で、近接する前記電極パターンに向かい、透明導電膜の面積が小さくなるため、見かけの光透過率及び反射率が変化する。これにより、外部から見たときに電極パターンと基材との境界を視認し難くすることができる。かつ、本構成では電極パターンの全面にスリットを設けていないため、電極パターンの抵抗値の増大を抑えることが可能である。
【００２２】
本発明では、前記電極パターン付き基板を有し構成された、静電容量式タッチパネルを実現できる。これにより、静電容量式タッチパネルが液晶表示装置などに重ねて配置された場合、電極パターンと基材との境界が視認し難くなるため本発明の静電容量式タッチパネルを通して見た表示画像の視認性が向上する。また、電極パターンの抵抗値が増大することを抑えられるため、電極パターンの抵抗値増大によるセンサ感度の低下が抑えられる。
【００２３】
さらに本発明では、前記電極パターン付き基板を有し構成された、抵抗膜式タッチパネルを実現できる。これにより、抵抗膜式タッチパネルが液晶表示装置などに重ねて配置された場合、電極パターンと基材との境界が視認し難くなるため本発明の抵抗膜式タッチパネルを通して見た表示画像の視認性が向上する。また、電極パターンの抵抗値が増大することを抑えられるため、電極パターンの抵抗値増大によるセンサ感度の低下が抑えられる。
【発明の効果】
【００２４】
本発明の電極パターン付き基板およびタッチパネルによれば、開口部の全面積よりも大きな面積を有する内基部を備えることにより電極パターンの抵抗値が増大することを抑え、かつ電極パターンと基材との境界における見かけの光透過率及び反射率のコントラスト差を小さくすることにより、本発明の電極パターン付き基板およびタッチパネルを外部から見たときに、電極パターンと基材との境界を視認し難くすることが可能となる。
【図面の簡単な説明】
【００２５】
【図１】第１の実施形態における電極パターン付き基板の平面図。
【図２】第１の実施形態における電極パターンを一部拡大して示す平面図。
【図３】第１の実施形態における開口部の第１の変形例を示す平面図。
【図４】第１の実施形態における開口部の第２の変形例を示す平面図。
【図５】第１の実施形態における開口部の第３の変形例を示す平面図。
【図６】第１の実施形態における開口部の第４の変形例を示す平面図。
【図７】第１の実施形態における開口部の第５の変形例を示す平面図。
【図８】第１の実施形態における開口部の第６の変形例を示す平面図。
【図９】第２の実施形態における電極パターン付き基板の一部を拡大して示す平面図。
【図１０】第３の実施形態における電極パターン付き基板の平面図。
【図１１】第３の実施形態における電極パターンの領域Ａを拡大して示す平面図。
【図１２】第４の実施形態における、静電容量式タッチパネルの分解斜視図。
【図１３】第５の実施形態における、静電容量式タッチパネルの分解斜視図。
【図１４】第６の実施形態における、抵抗膜式タッチパネルの分解斜視図。
【図１５】従来の電極パターン付き基板の第１の例を示す平面図。
【図１６】従来の電極パターン付き基板の第２の例を示す平面図。
【図１７】第２の例における電極パターンの領域Ｂを拡大して示す平面図。
【発明を実施するための形態】
【００２６】
＜第１の実施形態＞
図１は、第１の実施形態における電極パターン付き基板４０の平面図を示す。図２は第１の実施形態における電極パターン１３を一部拡大して示す平面図である。
【００２７】
図１に示すように電極パターン付き基板４０は、基材３０、基材３０の表面に形成された複数本の電極パターン１３、及び図示しないフレキシブルプリント基板等の外部回路と接続するための接続部１６を有して構成される。
【００２８】
基材３０は、ガラス、ポリエチレンテレフタレート（ＰＥＴ）等の透明な材料で形成されている。
【００２９】
電極パターン１３は、ＩＴＯ（Ｉｎｄｉｕｍ  Ｔｉｎ  Ｏｘｉｄｅ）など可視光領域における光透過率の高い導電材料で、スパッタ法や蒸着法により形成される。電極パターン１３は、基材３０上のＹ１―Ｙ２方向に沿って短冊状に延出して形成され、かつ複数の各電極パターン１３がＸ１−Ｘ２方向に間隔を空けて配置される。また、各電極パターン１３は、幅が０．５ｍｍ〜２ｍｍ程度、膜厚が０．０１μｍ〜０．０５μｍ程度で形成される。
【００３０】
また、各電極パターン１３のＹ２側の端部には、配線パターン（図示しない）が電気的に接続され、更に、各配線パターンの先端には接続部１６が形成されている。
【００３１】
電極パターン１３にはＩＴＯ等の透明導電膜のほか、たとえば金属導電材料を細線形状にし、電極パターン１３が形成された領域の光透過率を高めるような方法で使用することもできる。
【００３２】
図２は、第１の実施形態における電極パターン１３を一部拡大して示す平面図である。本実施形態では、電極パターン１３の両長辺及び短辺に沿って複数のスリット状の開口部１９が並んで設けられている。これにより、見かけの光透過率及び反射率が電極パターン１３の外縁に向かい緩やかに変化し、図１に示したような電極パターン１３と基材３０の境界におけるコントラスト差が小さくなるため、本実施形態の電極パターン付き基板４０を外部からみたときに電極パターン１３と基材３０との境界を視認し難くすることが可能である。
【００３３】
また本実施形態では、隣り合う開口部１９で挟まれた透明導電膜の面積及び、開口部１９と電極パターン１３の外縁とで挟まれた透明導電膜の面積が、電極パターン１３の外縁に向かい小さくなるように開口部１９が設けられている。本構成とすることにより、電極パターン１３の内方から外縁に向かい見かけの光透過率及び反射率が徐々に変化するため、外部から見たときに電極パターン１３と基材３０との境界をより確実に視認し難くすることができる。
【００３４】
電極パターン１３は、外縁及び開口部１９よりも内方に、開口部１９の全面積よりも大きな面積を有する内基部５０を備えている。内基部５０は、図２の二点鎖線で示すように、内基部５０の内部に開口部１９を含まず、透明導電膜がＸ１−Ｘ２方向及びＹ１−Ｙ２方向に連続して形成された矩形状の領域である。
【００３５】
両長辺に沿って並んで設けられた複数の開口部１９、及び短辺に沿って並んで設けられた複数の開口部１９は、それぞれ互に間隔を設けて配置されている。このように開口部１９を設けることにより、それぞれ開口部１９で挟まれた透明導電膜、及び開口部１９と電極パターン１３の外縁で挟まれた透明導電膜は、それぞれ内基部５０と電気的に接続されているため、開口部１９を複数配置した場合においても、電極パターン１３の抵抗値が増大することを抑えることができる。これにより、たとえば電極パターン付き基板４０をセンサ基板として用いた場合に、抵抗値の増加によってセンサ感度が低下する問題に対して、センサ感度の低下を防ぐことが可能となり、センサ感度の低下を補償するための補償回路の追加や変更が不要となる。
【００３６】
開口部１９の開口率（電極パターン１３の外縁で囲まれ、かつ内基部５０を含まない領域の面積に対する、開口部１９の全面積の割合）は、１０％から９０％の範囲で形成することが望ましい。開口率が１０％より小さいと、光透過率及び反射率の変化が小さく電極パターン１３と基材３０との境界が視認され易くなる。また、開口率が９０％より大きいと電極パターン１３の外縁で囲まれ、かつ内基部５０を含まない領域の抵抗値が大きくなるため好ましくない。
【００３７】
図３から図８には、第１の実施形態における電極パターン１３に形成された開口部１９の変形例を示す。
【００３８】
図３は、第１の実施形態における開口部１９の第１の変形例である。第１の変形例では、電極パターン１３の外縁に沿ってスリット状の開口部１９が形成されている。図２では、電極パターン１３の各辺に沿ってそれぞれ複数の開口部１９が形成されているが、第１の変形例のように、各辺に沿って１本の開口部１９を形成することによっても電極パターン１３と基材３０との境界におけるコントラスト差を小さくすることが可能である。
【００３９】
図４は、第１の実施形態における開口部１９の第２の変形例である。本変形例では、短冊状に形成された電極パターン１３の両長辺に沿って開口部１９が形成されている。本実施形態のような短冊状の電極パターン１３においては、電極パターン１３の長辺と基材３０との境界部分が、より外部から視認され易い傾向にあるため、本変形例のように短冊状の電極パターン１３の両長辺に沿って開口部１９を形成することで、外部から見たときに電極パターン１３の長辺と基材３０との境界におけるコントラスト差が小さくなり、視認性向上に大きな効果が得られる。また、図４では複数本の開口部１９を並べて設けているが、第１の変形例と同様に両長辺に沿って１本の開口部１９を設けた場合でも、視認性向上に効果が得られる。
【００４０】
図５に示すような、第３の変形例においては、電極パターン１３の外縁に沿って開口部１９が複数並んで設けられており、電極パターン１３の内方から外縁に向かい開口部１９の面積が大きくなるように形成されている。図２に示した様態では、見かけの光透過率及び反射率が外縁に向かい変化するように、開口部１９に挟まれた透明導電膜の面積が外縁に向かい小さくなるように形成されている。これに対し本変形例では、外縁に向かい開口部１９の面積が大きくなるように形成されている。このような様態であっても、見かけの光透過率及び反射率が電極パターン１３の外縁に向かい変化するため、外部から見たときに電極パターン１３を視認し難くなる。また、開口部１９の面積が大きくなることにより、電極パターン１３が形成された領域全体の光透過率が向上するため、本変形例の電極パターン付き基板４０を通して、外部の液晶ディスプレイ等の表示画像を見たときの視認性が向上する。
【００４１】
図２から図５に示した電極パターン１３の部分拡大図では、電極パターン１３の外縁に沿って、それぞれ連続したスリット状の開口部１９が形成されている。これらの様態以外でも、電極パターン１３と基材３０との境界においてコントラスト差が小さくなるように開口部１９が形成されていれば良い。図６に示す第４の変形例のように、電極パターン１３の外縁部に沿って、矩形状の開口部１９を間欠に複数配置することも可能である。また、開口部１９の形状は矩形状に限らず、図７に示す第５の変形例のように楕円形、あるいは円形、長円形、小判型などの形状であってもよい。また、図８に示す第６の変形例のように、電極パターン１３の両長辺に沿って複数の開口部１９が千鳥状に配列された構成であってもよい。
【００４２】
＜第２の実施形態＞
図９は、第２の実施形態における電極パターン付き基板４０の一部を拡大して示す部分拡大図である。本実施形態において、電極パターン１３は、基材３０上のＹ１―Ｙ２方向に沿って短冊状に延出して形成され、かつ複数の各電極パターン１３がＸ１−Ｘ２方向に間隔を空けて配置される。各電極パターン１３は、幅が０．５ｍｍ〜２ｍｍ程度、膜厚が０．０１μｍ〜０．０５μｍ程度で形成される。互に近接する短冊状の電極パターン１３の外縁部は三角形状を並列に連ねて形成されており、これにより、電極パターン１３の外縁に向かい、透明導電膜の面積が小さくなるため、基材３０が露出している面積と透明導電膜の面積比が連続的に変化する。従って、電極パターン１３の互に近接する領域で見かけの光透過率及び反射率が変化し、電極パターン１３と基材３０との境界におけるコントラスト差が小さくなり、電極パターン１３と基材３０との境界が視認し難くなる。
【００４３】
また、例えば図１７に示す従来の第２の例のように、互いに近接する電極パターン１３の間隔がＸ１−Ｘ２方向に沿って一定に形成されている場合、電極パターン１３の外縁に沿って筋状にコントラスト差が視認されてしまう可能性があるが、図９の本実施例に示すように互に近接する電極パターン１３の間隔を、Ｙ１−Ｙ２方向に沿って変化するように形成することにより、電極パターン１３どうしで挟まれた基材３０が視認し難くすることができる。
【００４４】
電極パターン１３の外縁部に並設された三角形状は、ピッチを１０μｍから１０００μｍ程度の範囲で形成することが良い。さらに、１０μｍから５００μｍのピッチで形成すれば、より電極パターン１３と基材３０との境界を視認し難くなる。また、三角形状部が形成される領域のＸ１−Ｘ２方向の幅は、電極パターン１３の幅に対し５％から２０％の範囲で形成することが好ましい。このようにすれば、電極パターン１３の抵抗値が増大することを抑え、かつ電極パターン１３と基材３０との境界を視認し難くすることが可能となる。
【００４５】
互に近接する電極パターン１３の形状は、図９に示した三角形状に限らず、円弧、波形、台形等、電極パターン１３の外縁に向かって導電膜の面積が小さくなるような先細形状が、並列に連なって形成されていれば良い。
【００４６】
＜第３の実施形態＞
図１０には、第３の実施形態における電極パターン付き基板４０を示す。また、図１１には、図１０の二点鎖線で囲む領域Ａで示した、電極パターン付き基板４０の互に近接した電極パターン１３の拡大図を示す。本実施形態の電極パターン付き基板４０は、基材３０、および基材３０の一方の面に形成された矩形状の電極パターン１３を有し構成され、電極パターン１３はＹ１−Ｙ２方向に沿った辺の略中央部で細隙を設け２分割されている。
【００４７】
電極パターン１３の互に対向した領域は、それぞれ、図１１に示すように三角形状を並べて形成されている。また、互に近接する電極パターン１３の間隔は、Ｘ１−Ｘ２方向に沿って変化するように形成されている。これによれば第２の実施例と同様に、電極パターン１３の内方から、Ｙ１―Ｙ２方向に近接し対向する電極パターン１３に向かい、光透過率及び反射率が連続的に変化するため、電極パターン１３と基材３０との境界を視認し難くすることが可能となる。
【００４８】
電極パターン１３の外縁部に並設された三角形状は、ピッチを１０μｍから１０００μｍ程度の範囲で形成することが良い。さらに、１０μｍから５００μｍのピッチで形成すれば、より電極パターン１３と基材３０との境界を視認し難くなる。また、三角形状部が形成される領域のＹ１−Ｙ２方向の幅は、１０μｍから５００μｍの範囲で形成することができる。このようにすれば、電極パターン１３の抵抗値が増大することを抑え、かつ電極パターン１３と基材３０との境界を視認し難くすることが可能となる。
【００４９】
本実施形態の電極パターン付き基板４０では、電極パターン１３を２分割にして構成されているが、用途に応じ電極パターン１３を３分割以上とし構成とすることも可能であり、分割された電極パターン１３のそれぞれ互に対向する領域において、図１１に示すような先細部を連接して設けることができる。
【００５０】
＜第４の実施形態＞
次に、本発明の電極パターン付き基板４０を有し構成されたタッチパネルについて説明する。図１２は、第４の実施形態における、静電容量式タッチパネル６１の分解斜視図を示す。図１２に示すように静電容量式タッチパネル６１は、基材３０、基材３０の一方の面に形成された上部電極パターン１４、基材３０の他方の面に形成された下部電極パターン１５、及び、表面部材２０を有し構成され、基材３０と上部電極パターン１４により第１の実施形態または第２の実施形態の電極パターン付き基板４０が構成されている。
【００５１】
表面部材２０は、プラスチックやガラス基材で形成される。表面部材２０の表面は操作面であり、表面部材２０の裏面には加飾層２１が設けられ、図１２に示すように、透光性の入力領域１１と入力領域１１の周囲を囲む着色された非透光性の非入力領域１２とに区分けされている。
【００５２】
本実施形態は、操作面である入力領域１１を指で操作したときに、入力領域１１内部に配置された上部電極パターン１４及び下部電極パターン１５と指との間で生じる容量変化に基づいて、指の操作座標領域を検出する静電容量式タッチパネル６１である。
【００５３】
図１２に示すように、上部電極パターン１４はＸ−Ｙ平面の例えばＹ１−Ｙ２方向に沿って延出して形成され、かつ複数の各上部電極パターン１４がＸ１−Ｘ２方向に間隔を空けて配置される。また、下部電極パターン１５は、Ｘ−Ｙ平面の例えばＸ１−Ｘ２方向に沿って延出して形成されて、かつ複数の各下部電極パターン１５がＹ１−Ｙ２方向に間隔を空けて配置される。上部電極パターン１４と下部電極パターン１５を平面的に見るとマトリクス状に配列されている。
【００５４】
また、上部電極パターン１４のＹ２側の端部および下部電極パターン１５のＸ１側またはＸ２側の端部には、それぞれ配線パターン（図示しない）が電気的に接続され、更に、各配線パターンの先端にはそれぞれ上部接続部１７及び下部接続部１８が形成されている。各上部配線パターン、各下部配線パターン、各上部接続部１７及び各下部接続部１８はいずれも非入力領域１２内に設けられる。
【００５５】
図１２に示すように、上部電極パターン１４の上側に配置された表面部材２０と、上部電極パターン１４及び基材３０との間には、例えば透光性を有するアクリル樹脂系の第１の粘着層２３が介在し、表面部材２０と、上部電極パターン１４及び基材３０とが接合されている。第１の粘着層２３には、例えば、アクリル樹脂系粘着テープを用いることが出来る。
【００５６】
下部電極パターン１５の下面には、例えば透光性を有するアクリル樹脂系の第２の粘着層２４を介して保護シートが接合されている。第２の粘着層２４には、例えば、アクリル樹脂系粘着テープを用いることが出来る。
【００５７】
図１２に示すように、本実施形態の静電容量式タッチパネル６１は液晶ディスプレイ等の表示装置３３の上側に配置され、透光性の入力領域１１を通して表示装置３３の表示画像が視認される。そのため表示画像の視認性に優れている静電容量式タッチパネル６１が望ましい。
【００５８】
本実施形態の静電容量式タッチパネル６１において、上部電極パターン１４と基材３０とを有し、第１の実施形態または第２の実施形態の電極パターン付き基板４０を構成している。これにより、外部から見たときに上部電極パターン１４と基材３０との境界部分が視認し難くなり、静電容量式タッチパネル６１を通して表示装置３３の表示画像を見た場合に、良好な視認性を得ることができる。なお、下部電極パターン１５も同様にすることができる。
【００５９】
また、本実施形態の静電容量式タッチパネル６１において、第１の実施形態または第２の実施形態の電極パターン付き基板４０を有することにより、外部から見た場合の良好な視認性を得るとともに、上部電極パターン１４の抵抗値の増大を抑えることが可能である。これにより、抵抗値の増加によってセンサ感度が低下する問題に対して、センサ感度の低下を防ぐことが可能となり、センサ感度の低下を補償するための補償回路の追加や変更が不要となる。
【００６０】
＜第５の実施形態＞
図１３には、第５の実施形態における静電容量式タッチパネル６１の分解斜視図を示す。図１３に示すように、本実施形態の静電容量式タッチパネル６１は、上部電極パターン１４が上面に形成された上部基材３１と、上部電極パターン１４の上側に配置された表面部材２０と、上部基材３１の下側に配置され下部電極パターン１５が設けられた下部基材３２とを有し構成される。表面部材２０と上部電極パターン１４及び上部基材３１は、透光性の第１の粘着層２３を介し接合され、上部基材３１と下部電極パターン１５及び下部基材３２は透光性の第２の粘着層２４を介し接合されている。
【００６１】
図１２で示した第４の実施形態では、基材３０の上面及び下面にそれぞれ上部電極パターン１４、下部電極パターン１５を形成したが、本実施形態のように上部基材３１、下部基材３２のそれぞれに上部電極パターン１４、下部電極パターン１５を設けることにより静電容量式タッチパネル６１を構成することも可能である。本実施形態の静電容量式タッチパネル６１は、上部電極パターン１４及び下部電極パターン１５と指の間で生じる容量変化に基づいて、指の操作座標領域を検出する。
【００６２】
本実施形態の静電容量式タッチパネル６１において、上部電極パターン１４と上部基材３１を有して第１の実施形態または第２の実施形態の電極パターン付き基板４０が構成される。これにより、外部から見たときに上部電極パターン１４と上部基材３１との境界部分が視認し難くなり、静電容量式タッチパネル６１を通して表示装置３３の表示画像を見た場合に、良好な視認性を得ることができる。なお、下部電極パターン１５も同様にすることができる。
【００６３】
また、本実施形態の静電容量式タッチパネル６１においても、上部電極パターン１４の抵抗値の増大を抑えることが可能であり、抵抗値の増加によってセンサ感度が低下する問題に対して、センサ感度の低下を防ぐことが可能であり、センサ感度の低下を補償するための補償回路の追加や変更が不要となる。
【００６４】
＜第６の実施形態＞
図１４には、第６の実施形態における、抵抗膜式タッチパネル６２の分解斜視図を示す。図１４に示すように、本実施形態の抵抗膜式タッチパネル６２は、上部電極パターン１４が形成された上部基材３１と、下部電極パターン１５が形成された下部基材３２を有し構成されている。上部電極パターン１４と下部電極パターン１５は、間にドットスペーサ（図示しない）を介し、一定の空間を設けて対向配置される。上部基材３１の上面には表面部材２０が配置され、透光性を有する第１の粘着層２３を介し接合されている。
【００６５】
本実施形態の抵抗膜式タッチパネル６２において、操作面である入力領域１１を指で操作したときに、入力領域１１内部に配置された上部電極パターン１４と下部電極パターン１５とが接触し、それにより生じる抵抗値の変化に基づいて指の操作座標領域を検出する。本実施形態は、マルチタッチ可能な抵抗膜式タッチパネル６２であり、上部電極パターン１４は細隙を設けて２分割されている。本実施形態の抵抗膜式タッチパネル６２では、上部電極パターン１４は２分割されているが、上部電極パターン１４の分割数を増やすことでさらに多点の同時入力が可能となる。
【００６６】
本実施形態の抵抗膜式タッチパネル６２において、上部電極パターン１４と上部基材３１を有して第３の実施形態の電極パターン付き基板４０を構成している。これにより、外部から見たときに上部電極パターン１４と上部基材３１との境界部分が視認し難くなり、抵抗膜式タッチパネル６２を通して表示装置３３の表示画像を見た場合に、良好な視認性を得ることができる。なお、下部電極パターン１５も同様にすることができる。
【００６７】
また、本実施形態の抵抗膜式タッチパネル６２において、外部から見たときに良好な視認性を得るとともに、上部電極パターン１４の抵抗値の増大を抑えることが可能であり、抵抗値の増加によってセンサ感度が低下する問題に対して、センサ感度の低下を防ぐことが可能であり、センサ感度の低下を補償するための補償回路の追加や変更が不要となる。
【符号の説明】
【００６８】
１１  入力領域
１２  非入力領域
１３、１１３  電極パターン
１４  上部電極パターン
１５  下部電極パターン
１６、１１６  接続部
１７  上部接続部
１８  下部接続部
１９  開口部
２０  表面部材
２１  加飾層
２２  保護シート
２３  第１の粘着層
２４  第２の粘着層
３０、１３０  基材
３１  上部基材
３２  下部基材
３３  表示装置
４０、１４０  電極パターン付き基板
５０  内基部
６１  静電容量式タッチパネル
６２  抵抗膜式タッチパネル
１１９  スリット
【図１】
2012032955.tif 000003
【図２】
2012032955.tif 000004
【図３】
2012032955.tif 000005
【図４】
2012032955.tif 000006
【図５】
2012032955.tif 000007
【図６】
2012032955.tif 000008
【図７】
2012032955.tif 000009
【図８】
2012032955.tif 000010
【図９】
2012032955.tif 000011
【図１０】
2012032955.tif 000012
【図１１】
2012032955.tif 000013
【図１２】
2012032955.tif 000014
【図１３】
2012032955.tif 000015
【図１４】
2012032955.tif 000016
【図１５】
2012032955.tif 000017
【図１６】
2012032955.tif 000018
【図１７】
2012032955.tif 000019